(57)【特許請求の範囲】
【請求項１】
空気吸込口と空気吹出口とが設けられた本体ケースと、
該本体ケース内に設けられ、前記空気吸込口から空気を吸込み前記空気吹出口から空気を吹出すためのファンと、
該ファンを駆動するためのファンモーターと、
該ファンモーターの累積運転時間を計時する時間計時手段と、
前記空気吸込口から吸込んだ空気に含まれる臭気を除去するための触媒が設けられた脱臭部と、
該脱臭部に近接して配置され、前記触媒を加熱して再生するための加熱部と、
前記ファンモーターの駆動及び停止と、前記加熱部の加熱開始及び加熱停止と、を制御する制御部と、
空気の臭気を検知するニオイセンサーと、
該ニオイセンサーの出力により臭気レベルを測定する臭気レベル測定手段と、を備え、
前記ファンモーターの累積運転時間が所定の設定時間Ｔ１を経過したときに、前記ニオイセンサーが検知する臭気レベルが所定の設定臭気レベル以下であれば、前記加熱部の加熱を開始し、所定の設定臭気レベルを超過していれば、前記加熱部の加熱を開始しないようにしたことを特徴とする空気清浄機。
【請求項２】
前記ニオイセンサーが検知する臭気レベルが、所定の設定臭気レベル以下であれば、前記ファンモーターの駆動を停止させ前記加熱部の加熱を開始し、所定の設定臭気レベルを超過していれば、前記ファンモーターの駆動を継続させ前記加熱部の加熱を開始しないようにしたことを特徴とする請求項１に記載の空気清浄機。
【請求項３】
前記加熱部の加熱を開始してから所定の設定時間Ｔ２を経過したときに、前記加熱部の加熱を停止するようにしたことを特徴とする請求項１に記載の空気清浄機。
【請求項４】
前記加熱部の加熱を開始してから所定の設定時間Ｔ２を経過したときに、前記加熱部の加熱を停止させ、前記ファンモーターを駆動するようにしたことを特徴とする請求項２に記載の空気清浄機。
【請求項５】
前記加熱部の加熱を開始しないようにしてから所定の設定時間Ｔ３を経過したときに、前記加熱部の加熱を開始するようにしたことを特徴とする請求項１に記載の空気清浄機。
【請求項６】
前記加熱部の加熱を開始しないようにしてから所定の設定時間Ｔ３を経過したときに、前記ファンモーターの駆動を停止させ前記加熱部の加熱を開始するようにしたことを特徴とする請求項２に記載の空気清浄機。
【請求項７】
前記加熱部の加熱を開始しないようにしてから所定の設定時間Ｔ３を経過したときに、前記加熱部の加熱を開始するようにし、前記加熱部の加熱を開始してから所定の設定時間Ｔ２を経過したときに、前記加熱部の加熱を停止するようにしたことを特徴とする請求項１に記載の空気清浄機。
【請求項８】
前記加熱部の加熱を開始しないようにしてから所定の設定時間Ｔ３を経過したときに、前記ファンモーターの駆動を停止させ前記加熱部の加熱を開始するようにし、前記加熱部の加熱を開始してから所定の設定時間Ｔ２を経過したときに、前記加熱部の加熱を停止させ、前記ファンモーターを駆動するようにしたことを特徴とする請求項２に記載の空気清浄機。
【請求項９】
空気吸込口と空気吹出口とが設けられた本体ケースと、
該本体ケース内に設けられ、前記空気吸込口から空気を吸込み前記空気吹出口から空気を吹出すためのファンと、
該ファンを駆動するためのファンモーターと、
該ファンモーターの累積運転時間を計時する時間計時手段と、
前記空気吸込口から吸込んだ空気に含まれる臭気を除去するための、触媒が設けられた脱臭部と、
該脱臭部に近接して配置され、前記触媒を加熱して再生するための加熱部と、
前記ファンモーターの駆動及び停止と、前記加熱部の加熱開始及び加熱停止と、を制御する制御部と、
空気の臭気を検知するニオイセンサーと、
該ニオイセンサーの出力により臭気レベルを測定する臭気レベル測定手段と、を備え、
前記ファンモーターの累積運転時間が所定の設定時間Ｔ１を経過したときに、前記ニオイセンサーが検知する臭気レベルが所定の設定臭気レベル以下であれば、前記ファンモーターの駆動を停止し、前記加熱部を加熱させて前記触媒の再生を開始し、所定の設定臭気レベルを超過していれば、前記ファンモーターの駆動を継続させ、前記加熱部を加熱させずに前記触媒の再生を開始しないようにし、
前記加熱部を加熱させずに前記触媒の再生を開始しないようにしてから所定の設定時間Ｔ３を経過したときに、前記ファンモーターの駆動を停止し前記加熱部を加熱させて前記触媒の再生を開始し、
前記加熱部を加熱させて前記触媒の再生を開始してから所定の設定時間Ｔ２を経過したときに前記加熱部の加熱を停止し、前記ファンモーターを駆動して前記時間計時手段が前記ファンモーターの累積運転時間の計時を開始するようにしたことを特徴とする空気清浄機。
【発明の詳細な説明】
【技術分野】
【０００１】
本発明は空気清浄機に関するもので、詳しくは回復可能な脱臭部を備えた空気清浄機に関するものである。
【背景技術】
【０００２】
従来、回復可能な脱臭部を備えた空気清浄機として、臭気成分を吸着するための吸着材の表面に触媒を添着してなる脱臭部と、この脱臭部の脱臭機能を回復するために加熱する加熱部を有する構成のもの（例えば、特許文献１参照）が知られている。【０００３】
従来の空気清浄機は、室内空気を取り込み、集塵フィルターにて塵埃を除去した後、脱臭部に流下した室内空気中の臭気成分が、脱臭部の吸着材に吸着することにより、室内空気の脱臭を行う。吸着剤は臭気成分を吸着するにつれて脱臭性能が落ちてしまうが、臭気を吸着した脱臭部の吸着材を加熱部により加熱することで、臭気成分が除去されて、脱臭機能を回復させることができるようになっている。
【先行技術文献】
【特許文献】
【０００４】
【特許文献１】日本特開２００１−３８１２６号公報（第４頁、図４）
【発明の概要】
【発明が解決しようとする課題】
【０００５】
しかしながら特許文献１に記載の従来の空気清浄機においては、運転開始時からの累積運転時間をみており、累積運転時間が所定の時間に達すると脱臭機能を回復させるべくヒーター通電を行い、脱臭機能回復運転を実施する。【０００６】
脱臭機能回復運転中は脱臭部の吸着材を高温にさせる必要が有る為、ファンモーターを停止させヒーター通電を行う。よってこの間は脱臭運転を行うことが出来ないため、室内の臭気が高く脱臭運転を必要としている状況でも、脱臭運転を行うことが出来なくなるという大きな課題があった。【０００７】
本発明は、前述のような課題を解決するためになされたものであり、室内空気の臭気を脱臭することを妨げず、効率よく臭気を吸着する脱臭部の機能を回復することが可能な空気清浄機を提供することを目的とする。
【課題を解決するための手段】
【０００８】
課題を解決する本発明の空気清浄機は、空気吸込口と空気吹出口が設けられた本体ケースと、本体ケース内に設けられ、空気吸込口から空気を吸込み空気吹出口から空気を吹出すためのファンと、ファンを駆動するためのファンモーターと、ファンモーターの累積運転時間を計測する時間計測手段と、空気吸込口から吸込んだ空気に含まれる臭気を除去するための触媒が設けられた脱臭部と、脱臭部に近接して配置され、触媒を加熱して再生するための加熱部と、ファンモーターの駆動及び停止、加熱部の加熱開始及び加熱停止を制御する制御部と、空気の臭気を計測するニオイセンサーと、ニオイセンサーの出力により臭気レベルを測定する臭気レベル測定手段とを備え、ファンモーターの累積運転時間が所定の設定時間Ｔ１を経過したときに、ニオイセンサーが計測する臭気レベルが所定の設定臭気レベル以下であれば加熱部の加熱を開始し、所定の設定臭気レベルを超過していれば加熱部の加熱を開始しないようにしたものである。
【発明の効果】
【０００９】
本発明によれば、室内の臭気レベルに応じて、脱臭機能回復運転を開始せず空気清浄（脱臭）運転を優先するようにしたので使用者が使いたい時に空気清浄（脱臭）運転をすることができ、使用者の利便性が向上する。
【図面の簡単な説明】
【００１０】
【図１】（ａ）本発明の実施の形態１に係る空気清浄機の本体上側から見た上面図、（ｂ）本発明の実施の形態１に係る空気清浄機の本体前側から見た正面図、（ｃ）本発明の実施の形態１に係る空気清浄機の本体右側から見た右側面図である。
【図２】図１（ｂ）に示す断面Ａ−Ａにおける本体右側から見た側方断面図である。
【図３】本発明の実施の形態１に係る空気清浄機の脱臭部と加熱部の加熱部側から見た配置概略図である。
【図４】本発明の実施の形態１に係る空気清浄機の制御系統のブロック図である。
【図５】本発明の実施の形態１に係る空気清浄機の動作を示すフローチャートである。
【図６】６段階の臭気レベルにアンモニアの臭気濃度を対応させた臭気テーブルである。
【図７】本発明の実施の形態２に係る空気清浄機の制御系統のブロック図である。
【図８】本発明の実施の形態２に係る空気清浄機の動作を示すフローチャートである。
【発明を実施するための形態】
【００１１】
実施の形態１
（構成）
図１（ａ）は本発明の実施の形態１に係る空気清浄機の本体上側から見た上面図、図１（ｂ）は本発明の実施の形態１に係る空気清浄機の本体前側から見た正面図、図１（ｃ）は本発明の実施の形態１に係る空気清浄機の本体右側から見た右側面図、図２は図１（ｂ）に示す断面Ａ−Ａにおける本体右側から見た側方断面図、図３は本発明の実施の形態１に係る空気清浄機の脱臭部と加熱部の加熱部側から見た配置概略図である。
【００１２】
なお、それぞれの図において、同じ部分または相当する部分には同じ符号を付し、一部の説明を省略する。また、複数の部材であって、符号に「ａ、ｂ等」を付記するものについて、共通する内容を説明する際には、符号に付した「ａ、ｂ等」を削除して、その一方の部材について説明する場合がある。
以下、図１から図３により本発明の実施の形態１に係る空気清浄機の構成について説明する。
【００１３】
図１（ａ）〜（ｃ）に示すように１００は空気清浄機であり、略直方体の本体ケース１で構成され、その上面部に、空気清浄機１００の移動、持ち運びのためのハンドル２が設けられている。上面部のハンドル２よりも前方の操作し易い位置に、空気清浄機１００を動作させるための入力を行う複数の操作ボタン（図示せず）や表示手段（図示せず）等からなる操作部３が設けられている。
【００１４】
空気清浄機１００の下面側には、空気清浄機１００を持ち上げることなく移動させられるように複数のキャスター１７が設けられていて、移動させ易くなっている。
【００１５】
空気清浄機１００の前側には、着脱自在の前側カバー７が設けられていて後述する集塵フィルター８の交換の際に取外すようになっている。前側カバー７には複数の桟のようになっている空気吸込口４が設けられている。
【００１６】
空気清浄機１００の右側側面下方には、室内空気に含まれる臭気成分を検出するニオイセンサー６が設けられている。
【００１７】
図２に示すように、本体ケース１内には、前側カバー７を取り外すと現れる集塵フィルター８が着脱自在に配設されている。集塵フィルター８は吸込んだ室内空気に含まれる塵埃等を捕集、除去するためのもので、所定の期間（例えば１０年間）使用するとフィルターの目詰り等により塵埃等の捕集、除去性能低下及び空気通過量の低下することがあるので交換されるものであり、空気吸込口４の近傍に設けられる。
【００１８】
集塵フィルター８の奥側には脱臭部９が設けられている。脱臭部９は集塵フィルター８によって塵埃等が除去された空気に含まれる臭気成分を吸着、除去するためのもので、例えば金属等の素材にゼオライト、アルミナ、シリカ、貴金属、希土類酸化物などからなる脱臭機能を有する触媒を含浸または塗布したものである。
【００１９】
触媒は、臭気成分を吸着することにより脱臭機能が低下していくが、加熱することにより触媒を再生し脱臭機能を回復させることができる。但し１００％の回復ではないので所定の期間使用すると交換が必要となる。そのため、脱臭部９は取外し自在に取り付けられている。また、脱臭部９の交換時期については、後述するファンモーター１２の累積運転時間により経年累積時間を計時し、その結果を図示しない操作部３の表示手段に表示することで交換時期を使用者に知らせることも可能である。
【００２０】
加熱部１０は、脱臭部９の触媒を再生し脱臭機能を回復させるためのもので、例えばＰＴＣ（正温度係数）ヒーターのようなヒーターを有している。ここで正温度係数とはヒーター温度が上昇するにしたがい、電気抵抗値も上昇し、正の係数値が変化する特性のことである。ＰＴＣヒーターとは温度が上昇すると電気抵抗値が上昇し電流値をさげることで温度上昇を抑制することができるヒーターのことである。従って、ＰＴＣヒーターは、適温を継続するには好適である。但し、加熱部１０に使用されるヒーターはこれに限定されるものではなく、ニクロム線等による電熱ヒーター等を使用してもよい。
【００２１】
本体ケース１内の背面側には室内空気を吸込み排出するためのファン１１と、ファン１１を駆動するためのファンモーター１２とが設けられている。
【００２２】
さらに本体ケース１内の背面側下方には、操作部３から入力された操作内容に従い、所定のプログラムに基づいて空気清浄機１００の動作を制御するための制御手段１３が設けられている。
【００２３】
ここで図２に示す一連の空気の流れＷ（以下、空気の流れＷを通風路という）により空気清浄の工程を説明すると、操作部３から入力された操作内容に従い、所定のプログラムに基づいて空気清浄機１００の動作を制御するための制御手段１３がファンモーター１２の駆動を開始させる。
【００２４】
ファンモーター１２の駆動によりファン１１が回転し、空気吸込口４から室内空気が吸込まれ、集塵フィルター８により室内空気に含まれる塵埃等が捕集、除去される。その後、塵埃等が捕集、除去された室内空気は脱臭部９を通過し臭気成分が吸着、除去される。
【００２５】
そして、清浄された室内空気はファン１１を経由し、本体ケース１の上面部でハンドル２よりも後方に設けられた空気吹出口５より排出されて室内に戻され、これを繰り返すことで室内空気が清浄される。
【００２６】
脱臭部９と加熱部１０について図３により詳しく説明すると、図３に示すように脱臭部９は９ａから９ｈ（９ｈは加熱部１０に隠れているため図示せず）に八等分されている。
【００２７】
脱臭部９は吸込んだ室内空気の臭気成分を吸着、除去するため通風路全域をカバーする大きさに設定されているが、前述のように脱臭機能が低下していくため加熱することにより触媒を再生させ脱臭機能を回復しなければならない。
【００２８】
加熱部１０は脱臭部９と対向する位置で通風路を遮るように配置しなければならないため、大きくすると通風路を遮る面積が大きくなり空気清浄機能が低下してしまう。よって空気清浄機能が低下しない程度に通風路が確保できる大きさにする必要がある。
【００２９】
本実施の形態では加熱部１０を、脱臭部９の八分の一をカバーする大きさに設定したものを、一例とする。加熱部１０は、脱臭部９の各箇所（９ａ〜９ｈ）のうち一箇所を所定の時間加熱することにより、その箇所の触媒を再生し脱臭機能を回復させる。その後、脱臭部９の外周に設けられた歯車１８と脱臭部回転用モーター１４とにより、脱臭部９が略４５度回転し、同様に、加熱部１０により、所定の時間、脱臭部９の次の箇所を加熱することにより触媒を再生し脱臭機能を回復させる。この動作を繰り返し、脱臭部９全体の脱臭機能回復をするようになっている。
【００３０】
本実施の形態では後述する動作のところで一例を説明するが、脱臭運転を２３時間１０分実施した後、脱臭部９を加熱して触媒を再生させ脱臭機能を回復する運転を５０分実施する。その後、脱臭部９を回転させる。つまり２４時間周期で一箇所が回転するようになっている。但し、八分の一ずつ機能回復させるように設定することに限定されるものではなく、九分の一や十分の一ずつ機能回復させるように設定してもよい。
【００３１】
（動作）
図４は本発明の実施の形態１に係る空気清浄機の制御系統のブロック図、図５は本発明の実施の形態１に係る空気清浄機の動作を示すフローチャート、図６は６段階の臭気レベルにアンモニアの臭気濃度を対応させた臭気テーブルである。
以下、図４から図６により本発明の実施の形態１に係る空気清浄機の動作について説明する。
【００３２】
図４に示すように、操作部３からの入力は制御手段１３に内包された制御部１９により制御され、ファンモーター１２の駆動指示及び加熱部１０の加熱指示がなされるようになっている。ファンモーター１２が駆動を開始すると、制御手段１３に内包された累積運転時間計時手段１５によりファンモーター１２の累積運転時間がカウントされ、制御部１９に累積運転時間の情報が送られる。
【００３３】
同様に加熱部１０の加熱が開始すると、制御手段１３に内包された動作時間計時手段２０により加熱部１０の動作時間がカウントされ、制御部１９に動作時間の情報が送られる。なお、後述するフローで説明するように、ファンモーター１２の駆動と加熱部１０の加熱は同時に行われることはない。
【００３４】
室内空気の臭気成分を検知するニオイセンサー６の検知データの出力は、制御手段１３に内包された臭気レベル測定手段１６に送られ、臭気レベル測定手段１６が図６に示す臭気濃度のテーブルと比較し、臭気レベルの情報が制御部１９へ送られる。臭気濃度のテーブルは予め制御手段１３に内包された記憶手段（図示せず）に記憶されており、ニオイセンサー６の検知データと比較されるようになっている。
【００３５】
（フロー）
次に図５により動作の流れを説明する。操作部３の入力により運転が開始され、ファンモーター１２がＯＮとなり空気清浄動作が開始される（ステップ１、以下ステップはＳと表しこの場合Ｓ１となる）。
【００３６】
ファンモーター１２の駆動と同時に累積運転時間ＴＸの計時が開始され（Ｓ２）、ニオイセンサーの検知データと臭気濃度テーブルとの比較により臭気レベルの測定が行われる（Ｓ３）。
【００３７】
空気清浄動作を開始してからファンモーター１２の累積運転時間ＴＸが、予め設定された設定時間Ｔ１未満の場合は空気清浄動作が継続され、ファンモーター１２が駆動を続ける（Ｓ４）。本実施の形態１ではＴ１を２３時間１０分で設定している。
【００３８】
Ｓ４において、ファンモーター１２の累積運転時間ＴＸが、予め設定された設定時間Ｔ１以上となった場合にはＳ５に進み、臭気レベルが予め設定された設定臭気レベルと比較される。本実施の形態１では図６の臭気濃度テーブルにおける臭気レベル３を設定臭気レベルとしている。
【００３９】
Ｓ５において、臭気レベルが設定臭気レベル（臭気レベル３）未満の場合は空気清浄動作を停止してもよいと判断し、ファンモーター１２をＯＦＦし空気清浄動作を停止させる（Ｓ６）。同時に累積運転時間ＴＸの計時も停止する。
【００４０】
次に加熱部１０をＯＮして触媒の加熱を開始し加熱（触媒を再生し脱臭機能の回復）動作に入る（Ｓ７）。ここで、加熱部１０の加熱と同時に加熱動作時間ＴＺの計時が開始される（Ｓ８）。
【００４１】
加熱動作を開始してから加熱部１０の動作時間ＴＺが、予め設定された設定時間Ｔ２未満の場合は加熱動作が継続され、加熱部１０が加熱を続ける（Ｓ９）。本実施の形態１ではＴ２を５０分で設定している。
【００４２】
Ｓ９において、加熱部１０の動作時間ＴＺが、予め設定された設定時間Ｔ２以上となった場合にはＳ１０に進み、加熱部１０をＯＦＦし再びＳ１へ進みファンモーター１２がＯＮされ空気清浄動作が再開される。
【００４３】
Ｓ５において、設定臭気レベル（臭気レベル３）以上の場合は空気清浄動作を継続する必要があると判断し、Ｓ１へ進みファンモーター１２の駆動を続け空気清浄動作を継続させる。このフローはＳ５で臭気レベルが予め設定された設定臭気レベルと比較されて、臭気レベルが設定臭気レベル（臭気レベル３）未満となるまで継続される。
【００４４】
以上のように本発明の実施の形態１においては、測定した室内の臭気レベルが設定臭気レベル以上の場合、ファンモーター１２の累積運転時間ＴＸが、予め設定された設定時間Ｔ１以上となった場合でも空気清浄動作を継続するようにしたので、使用者が空気清浄させたい臭気レベルのときに脱臭機能の回復が優先されることがなく、使用者にストレスを感じさない空気清浄機の利便性を向上させることができる。
【００４５】
実施の形態２
本発明の実施の形態２は、本発明の実施の形態１と本体ケース内部の構成は同等であり、制御系統が異なるので図７、図８により制御系統と動作フローについて説明し他の構造についての説明は省略する。なお、実施の形態１と同じ部分には同じ符号を付すこととする。
【００４６】
図７は本発明の実施の形態２に係る空気清浄機の制御系統のブロック図、図８は本発明の実施の形態２に係る空気清浄機の動作を示すフローチャートである。
【００４７】
（動作）
図７に示すように、操作部３からの入力は制御手段１３に内包された制御部１９により制御され、ファンモーター１２の駆動指示及び加熱部１０の加熱指示がなされるようになっている。ファンモーター１２が駆動を開始すると、制御手段１３に内包された累積運転時間計時手段１５によりファンモーター１２の累積運転時間がカウントされ、制御部１９に累積運転時間の情報が送られる。
【００４８】
ファンモーター１２の累積運転時間が後述する設定時間Ｔ１を超過して運転され続けると、制御手段１３に内包された超過運転時間計時手段２１によりファンモーター１２の超過運転時間がカウントされ、制御部１９に超過運転時間の情報が送られる。
【００４９】
同様に加熱部１０の加熱が開始すると、制御手段１３に内包された動作時間計時手段２０により加熱部１０の動作時間がカウントされ、制御部１９に動作時間の情報が送られる。なお、実施の形態１と同様、ファンモーター１２の駆動と加熱部１０の加熱は同時に行われることはない。
【００５０】
室内空気の臭気成分を検知するニオイセンサー６の検知データの出力は、制御手段１３に内包された臭気レベル測定手段１６に送られ、臭気レベル測定手段１６が図６に示す臭気濃度のテーブルと比較し、臭気レベルの情報が制御部１９へ送られる。臭気濃度のテーブルは予め制御手段１３に内包された記憶手段（図示せず）に記憶されており、ニオイセンサー６の検知データと比較されるようになっている。
【００５１】
（フロー）
次に図８により動作の流れを説明する。操作部３の入力により運転が開始され、ファンモーター１２がＯＮとなり空気清浄動作が開始される（Ｓ２１）。
【００５２】
ファンモーター１２の駆動と同時に累積運転時間ＴＸの計時が開始され（Ｓ２２）、ニオイセンサーの検知データと臭気濃度テーブルとの比較により臭気レベルの測定が行われる（Ｓ２３）。
【００５３】
空気清浄動作を開始してからファンモーター１２の累積運転時間ＴＸが、予め設定された設定時間Ｔ１未満の場合は空気清浄動作が継続され、ファンモーター１２が駆動を続ける（Ｓ２４−１）。本実施の形態２では本実施の形態１同様、Ｔ１を２３時間１０分で設定している。
【００５４】
Ｓ２４−１において、ファンモーター１２の累積運転時間ＴＸが、予め設定された設定時間Ｔ１以上となった場合には予め設定された設定時間Ｔ１を超過した超過運転時間ＴＹについて計時が開始される（Ｓ２４−２）。
【００５５】
さらにＳ２５−１に進み臭気レベルが予め設定された設定臭気レベルと比較される。本実施の形態２では本実施の形態１同様、図６の臭気濃度テーブルにおける臭気レベル３を設定臭気レベルとしている。
【００５６】
Ｓ２５−１において、臭気レベルが設定臭気レベル（臭気レベル３）未満の場合は空気清浄動作を停止してもよいと判断し、ファンモーター１２をＯＦＦし空気清浄動作を停止させる（Ｓ２６）。同時に累積運転時間ＴＸ、超過運転時間ＴＹの計時も停止する。
【００５７】
次に加熱部１０をＯＮして触媒の加熱を開始し加熱（触媒を再生し脱臭機能の回復）動作に入る（Ｓ２７）。ここで、加熱部１０の加熱と同時に加熱動作時間ＴＺの計時が開始される（Ｓ２８）。
【００５８】
加熱動作を開始してから加熱部１０の動作時間ＴＺが、予め設定された設定時間Ｔ２未満の場合は加熱動作が継続され、加熱部１０が加熱を続ける（Ｓ２９）。本実施の形態２では本実施の形態１同様、Ｔ２を５０分で設定している。
【００５９】
Ｓ２９において、加熱部１０の動作時間ＴＺが、予め設定された設定時間Ｔ２以上となった場合にはＳ３０に進み、加熱部１０をＯＦＦし再びＳ２１へ進みファンモーター１２がＯＮされ空気清浄動作が再開される。
【００６０】
Ｓ２５−１において、臭気レベルが設定臭気レベル（臭気レベル３）以上の場合は空気清浄動作を継続する必要があると判断し、Ｓ２５−２へ進み超過運転時間ＴＹが、予め設定された設定時間Ｔ３に達しているかチェックを行い、超過運転時間ＴＹが設定時間Ｔ３未満の場合、Ｓ２１へ進み、ファンモーター１２の駆動を続け空気清浄動作を継続させる。本実施の形態２では、Ｔ３を６０分で設定している。
【００６１】
Ｓ２５−２において超過運転時間ＴＹが設定時間Ｔ３以上となった場合、脱臭機能の回復を実行するためファンモーター１２をＯＦＦし空気清浄動作を停止させる（Ｓ２６）。同時に累積運転時間ＴＸ、超過運転時間ＴＹの計時も停止する。
【００６２】
次に加熱部１０をＯＮして脱臭触媒の加熱を開始し加熱（触媒を再生し脱臭機能の回復）動作に入る（Ｓ２７）。ここで、加熱部１０の加熱と同時に加熱動作時間ＴＺの計時が開始される（Ｓ２８）。
【００６３】
加熱動作を開始してから加熱部１０の動作時間ＴＺが、予め設定された設定時間Ｔ２未満の場合は加熱動作が継続され、加熱部１０が加熱を続ける（Ｓ２９）。
【００６４】
Ｓ２９において、加熱部１０の動作時間ＴＺが、予め設定された設定時間Ｔ２以上となった場合にはＳ３０に進み、加熱部１０をＯＦＦし再びＳ２１へ進みファンモーター１２がＯＮされ空気清浄動作が再開される。
【００６５】
以上のように本発明の実施の形態２においては、実施の形態１同様、測定した室内の臭気レベルが設定臭気レベル以上の場合にファンモーター１２の累積運転時間ＴＸが、予め設定された時間Ｔ１以上となった場合でも空気清浄動作を継続するようにしたので、使用者が空気清浄させたい臭気レベルのときに脱臭機能の回復が優先されることがなく、使用者にストレスを感じさない空気清浄機の利便性を向上させることができる。さらに、空気清浄動作を所定時間に限り継続するようにしたので、必要以上に空気清浄動作を継続させず、確実に脱臭機能の回復動作が実施できるので脱臭機能を著しく低下させることがなく安定した空気清浄動作が可能となる。
【００６６】
なお、本発明の実施の形態１及び２において設定した各設定時間Ｔ１（２３時間１０分）、Ｔ２（５０分）、Ｔ３（６０分）はこれに限定されるものではなく変更可能であり、動作仕様に合わせ適宜選択できる。
【符号の説明】
【００６７】
１  本体ケース、２  ハンドル、３  操作部、４  空気吸込口、５  空気吹出口、６  ニオイセンサー、７  前側カバー、８  集塵フィルター、９（ａ〜ｈ）  脱臭部、１０  加熱部、１１  ファン、１２  ファンモーター、１３  制御手段、１４  脱臭部回転用モーター、１５  累積運転時間計時手段、１６  臭気レベル測定手段、１７  キャスター、１８  歯車、１９  制御部、２０  動作時間計時手段、２１  超過運転時間計時手段、１００  空気清浄機、Ｗ  空気の流れ（通風路）。
【図１】
0005598609.tif 000002
【図２】
0005598609.tif 000003
【図３】
0005598609.tif 000004
【図４】
0005598609.tif 000005
【図５】
0005598609.tif 000006
【図６】
0005598609.tif 000007
【図７】
0005598609.tif 000008
【図８】
0005598609.tif 000009